(57)【要約】【課    題】  顧客の希望するヘアースタイルを完全にデザインするとともに、ヘアースタイルを完全に再現する。【解決手段】  画像処理装置１と、入出力装置２と、グラフィックシステム３と、表示装置４と、頭形展開図情報格納装置５と、ヘアーデザイン情報格納装置６とで、ヘアーデザインシステムを構成する。表示装置４を見ながら、美容師又は顧客自身が、希望するヘアースタイルをデザインする。デザインされたヘアースタイルの情報を、複数に区分された部位毎に数値や符号にして、頭形展開図情報格納装置５に記憶する。美容師がヘアー処理を行なう際に、表示装置４に頭形展開図を表示して、それに従って、カットやパーマを行なう。【選択図】    図１
2004220617.tif 000002
【特許請求の範囲】
【請求項１】
画像の選択指示や画像処理指示を入力するとともに状態情報を出力する入出力装置と、画像情報を表示用の画像データに変換するグラフィックシステムと、前記グラフィックシステムで変換された頭部画像データと頭部展開図とを表示する表示装置と、頭部の部位ごとに頭髪長と頭髪色とパーマ種を数値や符号で記述したヘアーデザインデータを格納した頭形展開図情報格納装置と、ヘアーデザインの雛型であるヘアーモデルのデータを複数組格納したヘアーデザイン情報格納装置と、前記入出力装置からの指示に基づいて前記頭形展開図情報格納装置及び前記ヘアーデザイン情報格納装置から読み出したヘアーデザインデータを基に画像の合成処理や変更処理を行なって前記グラフィックシステムに出力するとともに処理結果のヘアーデザインデータを前記頭形展開図情報格納装置及び前記ヘアーデザイン情報格納装置に書き込む画像処理装置とを具備ヘアーデザインシステムより得られた電子情報を表示装置に再現してヘア−処理する方法。
【請求項２】
請求項１のヘアーデザインシステムより得られた電子情報に基づいて出力された、複数個の区画された部位毎に該ヘア−デザインに対応する数値及び／又は符号の記入された頭形展開図によってヘア−処理する方法。
【発明の詳細な説明】
【技術分野】
【０００１】
本発明は、ヘアーデザインシステムに関し、特に、コンピュータ画像処理装置を利用してヘアーデザインを行なうとともに、ヘアーデザイン画像を表示して、美容師のヘアー処理を援助するヘアーデザインシステム及びその利用に関する。
【背景技術】
【０００２】
パーマネントウエーブなどによるヘアースタイル（髪型）は、女性にとっては命ともいわれるほど重要なものであるといわれている。ヘアーデザイン（髪型設計）に基づいて、ヘアーカッティングや、ヘアーパーマや、ヘアーカラーリングなどのヘアー処理により完成されたヘアースタイルは、自分を印象付ける重要な要素と位置づけられている。すなわち、パーマやカットやブローなどを組み合わせて、自分の希望するヘアースタイルを完成している。しかしながら、自分の好みのヘアースタイルを自らデザインすることは難しいので、自己ベストのヘアーデザインに基づいて、美容師によってヘアー処理してもらうことは、実際には無理であった。
【０００３】
従来は、美容室の顧客の女性は、ヘアーモデル（ヘアースタイルの雛型画像）や、雑誌に掲載されたヘアーデザインや、美容師のアドバイスなどを参考にして、自分の気に入ったヘアーカッティングや、カラーリングや、ヘアーパーマを決めていた。顧客の女性は、これを美容師に口頭で伝え、美容師は、この顧客オーダーに基づいてヘアー処理する。又は、顧客の希望を美容師が記憶していて、そのスタイリングに基づいてヘアー処理する。あるいは、完全に美容師任せにする。このように、顧客の希望するヘアー処理は、文書などによって正確に記録されていないために、美容師の感性や技倆に依るところが多くなり、美容師任せのヘアーカッティングや、カラーリングや、ヘアーパーマなどの処理にならざるを得ないことが普通であった。
【０００４】
ところで、成人の毛髪は、平均0.5 〜0.09ｍｍ程度の太さがあり、自然脱毛（50〜100 本／日）するものの、伸度50％程度の毛髪が、頭部全体で常時10〜15万本程度存在する。毛髪は、月に1.1 〜1.3 ｃｍ程度成長するものであり、体質にもよるが、４〜５週に一度、カッティングをしたりヘアーパーマをかけたりする必要がある。このとき、女性顧客は、カッティングやパーマの度毎に、美容師に自分の好みのオーダーをする。美容師の技倆にもよるが、顧客は、希望通りのヘアースタイルとなっていないことに不満を懐くのが普通である。このため、女性顧客の利用する美容室は、大体において特定の店に決められており、しかも、顧客毎のヘアー処理は、美容室の特定の美容師に委ねられている。しかしながら、顧客の希望するヘアースタイルのオーダーは千人千様であり、顧客の希望通りに正確にヘアー処理することは難しい。仮に一度、顧客の気に入ったヘアースタイルが完成したとしても、次回のパーマ処理のときに、前回と同様のヘアースタイルを再現することは不可能であった。
【０００５】
ヘアー処理には、カーラーを使うセット仕上げや、ドライヤーとブラシなどの美容用具を用いるブロー仕上げなどがある。セット仕上げは、カーラーで毛髪を巻いて、一度乾燥させてから、全体で仕上げる方法が普通である。ブロー仕上げは、毛髪全体を幾つかの部分に分けて、各部分を順番にドライヤーで乾燥させながら、全体のスタイルを仕上げる方法が普通である。従来のヘアー処理では、顧客の希望するヘアースタイルの雛型写真を鏡面にはりつけて、美容師のアドバイスを受けつつ、顧客に似合うヘアースタイルを決めている。例えば、実開昭58-48180号公報、実開昭59-98821号公報、実開昭59-98822号公報、実開昭60-64722号公報、実開平5-91519 号公報に開示されている。しかし、各人各様に頭形や顔形の異なる顧客について、それぞれの希望通りのヘアースタイルに完全に合わせたヘアー処理は困難で、ヘアースタイルの再現も難しかった。また、多数本の合成繊維や獣毛や人毛などの疑似毛髪を植毛した立体的な頭形モデルを使用した場合であっても、頭形モデルの使用によるヘアースタイルの再現は行なわれていなかった。
【０００６】
顧客の希望するヘアースタイルに合わせるために、髪形モデルと対比しつつ、ＴＶモニターやコンピュータに映し出した顧客の髪形の予測パターンを用いて、顧客の好みの髪形を設計することは公知である。例えば、特開昭58-97306号公報、特開昭56-109616 号公報、特開昭60-45303号公報、特開平7-67721 号公報、特開平9-98834 号公報、特開平10-14655号公報に開示されている。しかし、画面に写った立体的な視覚情報だけでは、現実にヘアー処理に応用したときに、顧客の頭形や顔形が異なり、それぞれに対応した顧客の好みのヘアースタイルに仕上げることは難しかった。
【特許文献１】実開昭58-48180号公報
【特許文献２】実開昭59-98821号公報
【特許文献３】実開昭59-98822号公報
【特許文献４】実開昭60-64722号公報
【特許文献５】実開平5-91519 号公報
【特許文献６】特開昭58-97306号公報
【特許文献７】特開昭56-109616 号公報
【特許文献８】特開昭60-45303号公報
【特許文献９】特開平7-67721 号公報
【特許文献１０】特開平9-98834 号公報
【特許文献１１】特開平10-14655号公報
【０００７】
そこで、これらの問題を解決するために、本発明者らは、特願2000-001315 号において、数値や符号に基づくヘアー処理方法を提案した。これは、顧客の希望するヘアースタイルを完全に設計して、希望通りのヘアースタイルに基づくヘアー処理を完全に実現し再現することを目的とするものである。顧客が希望するヘアースタイルを、数値や符号にする。予め用意した頭形展開図に、その数値や符号を記入して、ヘアースタイルを完成する。これに基づいて、実際にヘアー処理を行なう。
【発明の開示】
【発明が解決しようとする課題】
【０００８】
しかしながら、上記従来の方法では、ヘアースタイルを数値や符号にしたものを頭形展開図に記入する手数がかかる上、システム自体に習熟するまでの時間もかかり、効率が良くないという問題があった。
本発明は、上記従来の問題を解決して、顧客の要求するヘアースタイルを完全にデザインして標準化するとともに、デザインしたヘアースタイルを完全に再現できるヘアーデザインシステムを、簡単な構成で実現することを目的とする。
【課題を解決するための手段】
【０００９】
上記の課題を解決するために、本発明では、ヘアーデザインシステムを、画像の選択指示や画像処理指示を入力するとともに状態情報を出力する入出力装置と、画像情報を表示用の画像データに変換するグラフィックシステムと、グラフィックシステムで変換された頭部画像データと頭部展開図とを表示する表示装置と、頭部の部位ごとに頭髪長と頭髪色とパーマ種を数値や符号で記述したヘアーデザインデータを格納した頭形展開図情報格納装置と、ヘアーデザインの雛型であるヘアーモデルのデータを複数組格納したヘアーデザイン情報格納装置と、入出力装置からの指示に基づいて頭形展開図情報格納装置及びヘアーデザイン情報格納装置から読み出したヘアーデザインデータを基に画像の合成処理や変更処理を行なってグラフィックシステムに出力するとともに処理結果のヘアーデザインデータを頭形展開図情報格納装置及びヘアーデザイン情報格納装置に書き込む画像処理装置、とを具備する構成とした。
【００１０】
本発明は、以下の構成をも含むものである。
（１）上記ヘア−デザインシステムにより得られた電子情報を表示装置に再現して美容師がヘア−処理する方法。
（３）上記ヘア−デザインシステムにより得られた電子情報に基づいて出力された、複数個の区画された部位毎に該ヘア−デザインに対応する数値及び／又は符号の記入された頭形展開図によって美容師がヘア−処理する方法。
このような構成としたことにより、顧客の希望するヘアースタイルを完全にデザインできるとともに、顧客の希望するヘアースタイルを完全に再現してヘアー処理を行なうことができる。
そして、本発明は、反復継続性があり、多数の者の美容、理容や理髪に対するニ−ズを満たすものであり、産業上の利用性は極めて高く、社会的貢献度は大きい。
【発明の効果】
【００１１】
以上の説明から明らかなように、本発明では、ヘアーデザインシステムを、画像の選択指示や画像処理指示を入力するとともに状態情報を出力する入出力装置と、画像情報を表示用の画像データに変換するグラフィックシステムと、グラフィックシステムで変換された頭部画像データと頭部展開図とを表示する表示装置と、頭部の部位ごとに頭髪長と頭髪色とパーマ種を数値や符号で記述したヘアーデザインデータを格納した頭形展開図情報格納装置と、ヘアーデザインの雛型であるヘアーモデルのデータを複数組格納したヘアーデザイン情報格納装置と、入出力装置からの指示に基づいて頭形展開図情報格納装置とヘアーデザイン情報格納装置から読み出したヘアーデザインデータを基に画像の合成処理や変更処理を行なってグラフィックシステムに出力するとともに処理結果のヘアーデザインデータを頭形展開図情報格納装置とヘアーデザイン情報格納装置に書き込む画像処理装置とを具備する構成としたので、顧客の希望するヘアースタイルを正確にデザインでき、設計されたヘアースタイルを正確に再現してヘアー処理でき、ヘアーデザイン情報を標準化して交換できるという効果が得られる。
【発明を実施するための最良の形態】
【００１２】
以下、本発明の実施の形態について、図１〜図11を参照しながら詳細に説明する。
本発明の実施の形態は、コンピュータ画像処理システムを利用して、表示装置を見ながら希望するヘアースタイルをデザインし、美容師がヘアー処理する場合に、複数に区分された部位毎に数値や符号の記入された頭形展開図を出力するヘアーデザインシステムである。
【００１３】
図１は、本発明の実施の形態におけるヘアーデザインシステムの機能ブロック図である。図１において、画像処理装置１は、数値や符号で記述されたヘアーデザインデータを画像情報に合成したり画像を変更したりする処理を実行するＣＡＤ／ＣＡＭシステムなどのコンピュータ画像処理システムである。入出力装置２は、キーボードやマウスやマイクなどの指示情報などを入力する手段と、プリンタやスピーカなどの状態情報などを出力する手段である。グラフィックシステム３は、画像処理装置１で合成された画像情報を表示用の画像データに変換する装置である。表示装置４は、ＣＲＴやＬＣＤ表示装置である。頭形展開図情報格納装置５は、頭部の部位ごとに頭髪の長さや色のデータを数値や符号で記憶する手段である。ヘアーデザイン情報格納装置６は、多数組のヘアーモデル情報などのヘアーデザインに関する各種の情報を記憶する手段である。頭形展開図情報格納装置５とヘアーデザイン情報格納装置６は、典型的にはハードディスク装置であるが、フロッピディスクや、光磁気ディスクや、ＣＤ−Ｒや、ＤＶＤ−ＲＡＭなど、書込み読出しができる不揮発記憶装置であれば何でも利用できる。
【００１４】
図２は、本発明のヘアーデザインシステムで出力される頭形展開図の基本となる頭形モデルの左側部（左右は本人を中心にする）を示す図である。図３は、頭形展開図の基本となる頭形モデルの後面を示す図である。図４は、頭形展開図の基本となる頭形モデルの正面を示す図である。図５は、平面的に同心円状に展開した頭形展開図である。図６は、平面的に矩形状に展開した頭形展開図である。各符号は区分された各部位を示す。図７は、別の区分による頭形モデルの左側面を示す図である。図８は、別の区分による頭形モデルの後面を示す図である。図９は、別の区分による頭形モデルの正面より見た区画を示す図である。図10は、図７〜図９の区画の放射状展開図である。図11は、図７〜図９の区画の矩形状展開図である。
【００１５】
上記のように構成された本発明の実施の形態におけるヘアーデザインシステムの動作を説明する。
最初に、ヘアーデザインを決定する方法を説明する。このヘアーデザインシステムでは、産業界で広く使われているコンピュータによる画像処理設計システム（ＣＡＤ／ＣＡＭシステム）を利用して、ヘアーデザインする。美容師は、表示装置４を見ながら、顧客の希望するヘアースタイルを設計する。この場合に顧客自身が、ゲーム感覚で、ヘアーモデルなどを参考に、好みのヘアースタイルをデザインすることもできる。
ヘアーデザイン情報格納装置６には、頭部全体のヘアーモデルと部分ヘアーモデルが多数格納されている。ヘアーモデルは、ヘアースタイルの雛型情報であり、頭部の形状データと、頭部の部位ごとの髪の色と長さとパーマ種のデータとが一組になった情報である。
顧客の希望するヘアースタイルを設計する場合は、入出力装置２を操作して、頭部全体のヘアーモデルを数個ずつ表示装置４に表示する。すなわち、画像処理装置１で、ヘアーデザイン情報格納装置６からヘアーモデルを読み出して画像合成処理し、グラフィックシステム３で画像データに変換して、表示装置４に表示する。好みのヘアーモデルをマウスで選択して、基本ヘアーモデルとする。ヘアーモデルは、表示装置４上で自由に回転させることができる。
【００１６】
基本ヘアーモデルの任意の部分をマウスでポイントして修正することができる。すなわち、ヘアーデザイン情報格納装置６から部分ヘアーモデルを読み出して表示し、好みの部分ヘアーモデルを選択して、基本ヘアーモデルに貼り付ける。また、色や長さやパーマ種を選択して、基本ヘアーモデルの指定の部分を変更することもできる。必要に応じて頭形展開図を表示して、数値や符号を直接変更することもできる。表示装置４上の頭部画像が希望のヘアースタイルとなるまで、順次修正を繰り返す。これらの画像処理機能は、周知のＣＡＤ／ＣＡＭシステムを利用して実現することができる。ヘアースタイルが最終的に決定したところで、変更された基本ヘアーモデルの情報を、展開図情報として頭形展開図情報格納装置５に格納する。顧客の設計したヘアースタイルのデザイン情報を、ヘアーデザイン情報格納装置６にも格納しておく。
【００１７】
上述の頭形展開図の各部位に記入される数値や符号は、決定されたヘアーデザインに対応するヘアーの長さと、パーマ種と、カラー種である。画像上のヘアーモデルから出力された数値や符号とは、ヘアーカッティングであれば、毛髪の根元からの長さを意味する。長さをｍｍやｃｍで表現してもよいし、長短を示す符号で表現してもよい。カラーリングであれば、カラー種を意味する。色の番号又は符号で表現する。パーマなどの毛髪形状を変更する処理であれば、パーマ種やアイロン種を意味する。パーマ種などの番号又は符号で表現する。頭形展開図の大区画及び小区画に区分けされた各部位毎に、ヘアーカッティングや、カラーリングや、ヘアーパーマなどに関する情報が、数値や符号にされて磁気情報として保存されているので、顧客の希望するヘアー処理が完全に実現でき、希望するヘアースタイルの完全再現が可能となる。
【００１８】
第２に、頭部の区分方法を説明する。頭形展開図は、複数個の大区画及び多数個の小区画の部位に区分されたものである。頭形展開図における複数個の大区画は、頭形を中心線によって分けて、さらに、正面・頂部域、後面域、上側面域、下側面域及びネープ域に分けたものである。頭形展開図における複数個の大区画は、頭形の前面域、頂部域、側面域及び後面域である。頭形展開図における多数個の部位は、頭形を適宜に大分けした大区画を、さらに適宜の数に細分化した小区画である。頭形展開図における部位の数は、10〜160 程度である。頭形展開図は、顧客各人の頭形に対応して変化させたものである。
【００１９】
ヘアー処理の基礎にする頭形展開図における大分けされた区画の数は、適宜でよいが、例えば、正面頂部域、後面域、上側面域、下側面域及びネープ域の中心線左右両側の前10区画、あるいは、頭形の前面域、頂部域、側面域及び後ろ面域の４区画に分けるのが適当である。また、大分けをさらに細分化した部位の数も適宜であるが、10〜160 、好ましくは60〜80程度が適当である。顧客の頭形や顔形は千差万別であるので、部位の数などは各人各様に合わせて予め設定して、頭形展開図を記録装置に登録しておくことにより、ヘアーデザインはより一層顧客にフィットすることになる。
【００２０】
第３に、ヘアー処理の方法を説明する。美容師によるヘアー処理時に、ヘアースタイルに対応する数値や符号の記録された頭形展開図データを、頭形展開図情報格納装置５から読み出し、グラフィックシステム３により展開図の画像情報に変換し、表示装置４の画面上に出力する。頭部の区分けされた所定の部位に、決定されたヘアーデザインに対応する所定事項の記入された頭形展開図として出力される。すなわち、出力された頭形展開図には、決定されたヘアースタイルに対応するヘアー長、カット長、パーマ種、カラー種などの数値や符号が記入されている。頭形展開図に記入された数値や符号に従って、美容師がヘアーカットし、ヘアーカラー処理し、パーマ処理する。必要に応じて随時、ヘアースタイルの頭部全体画像や部分画像を、表示装置４に表示して、ヘアー処理の状態を確認することができる。すなわち、ヘアー処理に当たっては、顧客の設計したヘアースタイルのデザイン情報を、ヘアーデザイン情報格納装置６から読み出して、頭部画像として表示装置４で再現して、ヘアー処理の参考とする。
【００２１】
もちろん、頭部画像のみでヘアー処理を行なうことも可能ではある。しかし実際には、表示装置４の頭部画像でヘアースタイルを見るだけでは、顧客の設計したヘアースタイルに完全に沿ったヘアー処理を行なうことは困難であるので、主に展開図に基づいてヘアー処理をし、頭部画像を補助的に利用する方が適当である。
顧客の決定した希望のヘアースタイルが、記録媒体に保存されているので、いつでも表示装置４上に再生可能である。顧客のヘアースタイルの記録情報をベースとして、顧客の希望に応じて、美容現場で美容師が修正することも可能である。ヘアー処理の際に、顧客のデザインしたヘアースタイルの頭部画像を参考にして、美容師のアドバイスによりヘアーデザインを変更することは勿論可能である。
【００２２】
表示装置４に出力される頭形展開図は、図５、図６、図10、図11に示すものである。すなわち、頭形展開図の一例を示すと、図６の頭形展開図には、図２〜図５に示されるトップフロント［Top Front(ＴＦ) ］、トップサイド［Top Side（ＴＳ）］、アンダ−サイド［Under Side（ＵＳ）］及びネープ［Nape（ＮＡ）］の４区画に、さらに中心線の左右両側で、合計８区画に大分けされた展開図に、決定されたヘアーデザインに相当する符号や数値が記入されている。この４×２の８区画を、さらに細分化して区画した１単位を一つの部位とし、各部位に１〜ｎの符号を付し、各部位の位置を明確化する。
【００２３】
区分の例では、トップフロント［Top Front(ＴＦ) ］で８、トップサイド［Top Side（ＴＳ）］で８、アンダ−サイド［Under Side（ＵＳ）］で16、及びネープ［Nape（Ｎ）］で６の計38で、左右両側で38×２の合計76の部位が設けられている。この区画では、例えば「ＬＴＳ５」と言えば、図９に示す頭部左側（後ろ側から）の大区画のＬＴＳ（左トップサイド）において、後ろ中心線から左側でトップサイドの域の上から５番目の位置の部位を示すこととなる。
また、ヘアースタイルによっては、頭形の中心を定めることなく、頭前部より順次に区画する方がフィッティングする場合もある。このときは、図７〜９に示すように、大分けとして、フロント（Front）、トップ(Top) 、バック・センター（Back Center）、サイドレフト（Side Left）、バックレフト（Back Left）、サイドライト（Side Right）、バックライト（Back Right）の７区分に大分けし、これをさらに細分化して部位を決めることも可能である。
【００２４】
例えば、図10と図11の頭形展開図では、フロント（Ｆ）は４、トップ（Ｔ）は４、バック・センター（ＢＣ）は16、サイドレフト及びサイドライト（ＳＬ／ＳＲ）は各８、バックレフト及びバックライト（ＢＬ／ＢＲ）は12の各部位とする。したがって、この区分の場合は、例えば「ＢＬ３」と言えば、図10、図11を参照にしてみると、頭後ろからみて、ＢＬ（Back Left）域の上より３番目の部位を示すこととなる。部位の数は、顧客の頭形、顔形に合わせて適宜決定するようにすればよい。
【００２５】
このように、画像処理により好みのヘアースタイル画像が得られるので、自分の求めるヘアーデザインをきめ細かく表現できる。さらに、このヘアースタイルを平面的に表現した展開図として、数値や符号が記入された展開図を参照することによって、美容師はカッティングやパーマやカラーリングが容易にできる。
頭形展開図を基本としてヘアーデザインされているので、顧客毎の希望のヘアースタイルとヘアー処理の処方を標準化して、容易に統一して共通化できる。顧客の希望情報を、異なる美容室間においてもインターネットなどの利用により容易に交換できるから、同一美容師又は同一店でなくとも、展開図やヘアースタイル画像を参照することによって、同一デザインのヘアースタイリングが確実に再現可能である。
【００２６】
上記のように、本発明の実施の形態では、ヘアーデザインシステムを、コンピュータ画像処理システムを利用して、表示装置を見ながら希望するヘアースタイルをデザインし、美容師がヘアー処理する場合に、複数に区分された部位毎に数値や符号の記入された頭形展開図を出力する構成としたので、顧客の希望に応じたヘアーデザインができ、それに基づいたヘアー処理によりヘアースタイルを再現できる。
【図面の簡単な説明】
【００２７】
【図１】本発明の実施の形態におけるヘアーデザインシステムの機能ブロック図
【図２】本発明の実施の形態におけるヘアーデザインシステムで用いる横頭部の大区画を示す図
【図３】本発明の実施の形態におけるヘアーデザインシステムで用いる後頭部の大区画を示す図
【図４】本発明の実施の形態におけるヘアーデザインシステムで用いる正面頭部の大区画を示す図
【図５】本発明の実施の形態におけるヘアーデザインシステムで用いる小区画展開図
【図６】本発明の実施の形態におけるヘアーデザインシステムで用いる小区画展開図
【図７】本発明の実施の形態におけるヘアーデザインシステムで用いる横頭部の大区画を示す図、
【図８】本発明の実施の形態におけるヘアーデザインシステムで用いる後頭部の大区画を示す図
【図９】本発明の実施の形態におけるヘアーデザインシステムで用いる正面頭部の大区画を示す図
【図１０】本発明の実施の形態におけるヘアーデザインシステムで用いる小区画展開図
【図１１】本発明の実施の形態におけるヘアーデザインシステムで用いる小区画展開図
【符号の説明】
【００２８】
１  画像処理装置
２  入出力装置
３  グラフィックシステム
４  表示装置
５  頭形展開図情報格納装置
６  ヘアーデザイン情報格納装置
ＬＴＦ  左側トップフロント（Top Front）
ＬＴＳ  左側トップサイド（Top Side）
ＬＵＳ  左側アンダ−サイド（Under Side）
ＬＮＡ  左側ネープ(Nape)
Ｆ  フロント（Front）
Ｔ  トップ(Top)
ＢＣ  バック・センター（Back Center）
ＳＬ  サイドレフト（Side Left）
ＢＬ  バックレフト（Back Left）
ＳＲ  サイドライト（Side Right）
ＢＲ  バックライト（Back Right）
【図１】
2004220617.tif 000003
【図２】
2004220617.tif 000004
【図３】
2004220617.tif 000005
【図４】
2004220617.tif 000006
【図５】
2004220617.tif 000007
【図６】
2004220617.tif 000008
【図７】
2004220617.tif 000009
【図８】
2004220617.tif 000010
【図９】
2004220617.tif 000011
【図１０】
2004220617.tif 000012
【図１１】
2004220617.tif 000013